(57)【要約】【課題】隣り合う光ファイバ心線間が長手方向に間欠的に連結された光ファイバテープ心線の連結構造を確実に検査できるようにする。【解決手段】光ファイバテープ心線の検査装置は、切込みを形成する切断刃６が光ファイバテープ心線１に差し込まれた状態で、切断刃６が差し込まれた位置が適正であることを検出する切断位置検出センサと、切断刃６が確実に光ファイバテープ心線１に差し込まれ、切込みが形成されていることを検出する切断有無検出センサと、切断位置検出センサと切断有無検出センサの検出結果に基づいて、切込みが適正に形成されていることを判断する判断部と、を備える。【選択図】図３
2015001689.tif 000002
【特許請求の範囲】
【請求項１】
複数本の光ファイバ心線が平行一列に並べられて共通被覆により一体化され、隣り合う光ファイバ心線間の長手方向に間欠的な切込みが形成された光ファイバテープ心線の前記切込みの状態を検査する、光ファイバテープ心線の検査装置であって、
前記切込みを形成する切断刃が光ファイバテープ心線に差し込まれた状態で、前記切断刃が差し込まれた位置を検出する切断位置検出センサと、前記切断刃が前記光ファイバテープ心線に差し込まれ、前記切込みが形成されていることを検出する切断有無検出センサと、前記切断位置検出センサと前記切断有無検出センサの検出結果に基づいて、前記切込みが適正に形成されていることを判断する判断部と、を備える光ファイバテープ心線の検査装置。
【請求項２】
前記切断位置検出センサは、前記切断刃が前記光ファイバテープ心線に差し込まれる位置で前記光ファイバテープ心線の幅方向の両側２か所に設けられたセンサを有し、それぞれの前記センサは、前記切断刃が差し込まれていない状態で、前記光ファイバテープ心線の幅方向外側の空間を検出し、前記切断刃が差し込まれることにより前記光ファイバテープ心線の少なくとも一部が前記幅方向に変位したときに、前記光ファイバテープ心線があることを検出し、前記判断部は、前記２か所のセンサの検出結果に基づいて、前記切断刃が差し込まれた位置が適正であることを判断する、請求項１に記載の光ファイバテープ心線の検査装置。
【請求項３】
前記切断有無検出センサは、前記切断刃が前記光ファイバテープ心線に差し込まれたときに、前記切断刃の両側に光ファイバ心線が分かれることにより形成された開口部の有無を検出し、前記判断部は、前記切断有無検出センサによる検出結果に基づいて、前記切込みが適正に形成されていることを判断する、請求項１または２に記載の光ファイバテープ心線の検査装置。
【請求項４】
請求項１〜３のいずれか１に記載の光ファイバテープ心線の検査装置と、複数本の光ファイバ心線が平行一列に並べられて共通被覆により一体化された光ファイバテープ心線に対して、隣り合う光ファイバ心線間の長手方向に切断刃により間欠的な切込みを形成する切込み形成部と、を有するファイバテープ心線の製造装置。
【請求項５】
複数本の光ファイバ心線が平行一列に並べられて共通被覆により一体化され、隣り合う光ファイバ心線間の長手方向に間欠的な切込みが形成された光ファイバテープ心線の前記切込みの状態を検査する光ファイバテープ心線の検査方法であって、
前記切込みを形成する切断刃が光ファイバテープ心線に差し込まれた状態で、前記切断刃が差し込まれた位置が適正であることを検出する切断位置検出センサと、前記切断刃が前記光ファイバテープ心線に差し込まれ、前記切込みが形成されていることを検出する切断有無検出センサと、前記切断位置検出センサと前記切断有無検出センサの検出結果に基づいて、前記切込みが適正に形成されていることを判断する判断装置と、を使用して、光ファイバテープ心線の前記切込みの状態を検査する光ファイバテープ心線の検査方法。
【発明の詳細な説明】
【技術分野】
【０００１】
本発明は、複数本の光ファイバ心線を平行一列に並べ、隣り合う光ファイバ心線同士が間欠的に結合された形態の光ファイバテープ心線の検査装置、検査方法および製造装置に関する。
【背景技術】
【０００２】
複数本の光ファイバ心線を平行一列に並べて一体化された光ファイバテープ心線において、光ファイバ心線を単心に分離するのが容易であると共に、テープ心線の平行一列の保持状態を維持して多心一括融着接続等を行うことができる光ファイバテープ心線が知られている。この光ファイバテープ心線は、複数本の光ファイバ心線が平行一列に並べられ、その長手方向に結合部と非結合部とが交互に形成され、隣り合う光ファイバ心線同士が間欠的に連結された形状とされたもので、種々の形状と製造方法が提案されている。
【０００３】
例えば特許文献１に記載の光ファイバテープ心線は、４本の光ファイバ素線が平面上に並列配置され、これら光ファイバ素線の周囲の一部がテープ材で被覆され、残部がテープ材で被覆されていない構成を有する。そしてテープ材で被覆されている第１領域と、テープ材で被覆されていない第２領域とが、長手方向に沿って交互に存在している。
また、特許文献２に記載の光ファイバテープ心線は、並列する３心以上の光ファイバからなり、互いに隣接する２心の光ファイバ間のみを連結する複数の連結部が、光ファイバテープ心線の長手方向及び幅方向の２次元的に間欠的に配設される。そして同一の光ファイバに施された連結部の長さが、同一の光ファイバの非連結部の長さよりも短く構成され、かつ光ファイバテープ心線の幅方向で隣り合う連結部同士間は互いに接触しないように離間距離が設けられている。
【０００４】
上記のような光ファイバ心線同士が間欠的に連結された形状を有する光ファイバテープ心線を製造する場合、複数の光ファイバ心線を平行一列に並べて間欠的に連結部と非連結部とを形成するため、これらの連結部と非連結部とが仕様通りに正確に形成されていることを確実に検査する技術が求められる。
【０００５】
例えば、特許文献３には、溝幅が光ファイバテープ心線の幅以上で底部に少なくとも一箇所の段差部が設けられたガイド溝を有するガイドローラと、ガイドローラによりガイドされる光ファイバテープ心線のエッジ部間の間隔、エッジ本数、または表面の凹凸を測定する測定器とを備えた検査装置が開示されている。この検査装置は、光ファイバ心線間が連結されていない箇所において段差部により光ファイバ心線間を分離させ、エッジ間隔、エッジ本数、または凹凸により、光ファイバ素線間が分離されていることを測定し、非連結箇所の長さ、周期を測定する。
【先行技術文献】
【特許文献】
【０００６】
【特許文献１】特許第４０４９１５４号公報
【特許文献２】特許第４１４３６５１号公報
【特許文献３】特開２０１２−４２３５４号公報
【発明の概要】
【発明が解決しようとする課題】
【０００７】
特許文献３に開示のように、段差部が設けられたガイド溝を有するガイドローラを用いて光ファイバ心線を分離させる構成では、段差自体が小さいため、段差部分における光ファイバ心線の分離が十分でなく、エッジを確実に補足することが難しい。特に光ファイバ心線に加えられている張力の程度によって、段差があっても光ファイバ心線が分離しにくくなると、分離部分のエッジを確実に補足することが難しくなる。
【０００８】
本発明は、上述した実状に鑑みてなされたもので、隣り合う光ファイバ心線間が長手方向に間欠的に連結された光ファイバテープ心線の連結構造を確実に検査できるようにした検査装置および検査方法と、当該連結構造の検査装置を含むファイバテープ心線の製造装置の提供を目的とする。
【課題を解決するための手段】
【０００９】
本発明による光ファイバテープ心線の検査装置は、複数本の光ファイバ心線が平行一列に並べられて共通被覆により一体化され、隣り合う光ファイバ心線間の長手方向に間欠的な切込みが形成された光ファイバテープ心線の切込みの状態を検査する検査装置であって、切込みを形成する切断刃が光ファイバテープ心線に差し込まれた状態で、切断刃が差し込まれた位置を検出する切断位置検出センサと、切断刃が光ファイバテープ心線に差し込まれ、切込みが形成されていることを検出する切断有無検出センサと、切断位置検出センサと切断有無検出センサの検出結果に基づいて、切込みが適正に形成されていることを判断する判断部と、を備える。
【００１０】
上記の切断位置検出センサは、切断刃が光ファイバテープ心線に差し込まれる位置で光ファイバテープ心線の幅方向の両側２か所に設けられたセンサを有し、それぞれのセンサは、切断刃が差し込まれていない状態で、光ファイバテープ心線の幅方向外側の空間を検出し、切断刃が差し込まれることにより光ファイバテープ心線の少なくとも一部が幅方向に変位したときに、光ファイバテープ心線があることを検出し、判断部は、２か所のセンサの検出結果に基づいて、切断刃が差し込まれた位置が適正であることを判断する。
【００１１】
また、上記の切断有無検出センサは、切断刃が光ファイバテープ心線に差し込まれたときに、切断刃の両側に光ファイバ心線が分かれることにより形成された開口部の有無を検出し、判断部は、切断有無検出センサによる検出結果に基づいて、切込みが適正に形成されていることを判断する。
【００１２】
また、本発明による光ファイバテープ心線の製造装置は、上記の光ファイバテープ心線の検査装置と、複数本の光ファイバ心線が平行一列に並べられて共通被覆により一体化された光ファイバテープ心線に対して、隣り合う光ファイバ心線間の長手方向に切断刃により間欠的な切込みを形成する切込み形成部と、を有する。
【００１３】
また、本発明による光ファイバテープ心線の製造方法は、複数本の光ファイバ心線が平行一列に並べられて共通被覆により一体化され、隣り合う光ファイバ心線間の長手方向に間欠的な切込みが形成された光ファイバテープ心線の切込みの状態を検査する光ファイバテープ心線の検査方法であって、切込みを形成する切断刃が光ファイバテープ心線に差し込まれた状態で、切断刃が差し込まれた位置が適正であることを検出する切断位置検出センサと、切断刃が前記光ファイバテープ心線に差し込まれ、切込みが形成されていることを検出する切断有無検出センサと、切断位置検出センサと切断有無検出センサの検出結果に基づいて、切込みが適正に形成されていることを判断する判断装置と、を使用して、光ファイバテープ心線の前記切込みの状態を検査する。
【発明の効果】
【００１４】
本発明によれば、隣り合う光ファイバ心線間が長手方向に間欠的に連結された光ファイバテープ心線の連結構造を確実に検査できるようにした検査装置および検査方法と、当該連結構造の検査装置を含むファイバテープ心線の製造装置を提供することができる。
【図面の簡単な説明】
【００１５】
【図１】本発明の製造装置および製造方法により製造された光ファイバテープ心線の一例を示す図である。
【図２】光ファイバテープ心線に切込み部分を形成する機構の設置例を示す図である。
【図３】切込み部分を形成する切断刃について説明する図である。
【図４】本発明に用いる切断位置検出センサの構成及び動作例を説明するための図である。
【図５】本発明に用いる切断有無検出センサの構成及び動作例を説明するための図である。
【発明を実施するための形態】
【００１６】
図により本発明の実施の形態を説明する。図１（Ａ）〜図１（Ｃ）は、本発明の製造装置および製造方法により製造された光ファイバテープ心線の一例を示し、図において、１は光ファイバテープ心線（テープ心線）、２は光ファイバ心線、３は共通被覆、４は切込み部分、５は非切込み部分を示す。光ファイバ心線２は、例えば、外径が１２５μｍのガラスファイバに、被覆径が２５０μｍ前後のファイバ被覆を施した光ファイバ素線とも言われているもの、また、そのファイバ被覆の外面に着色層を施したものを含めた単心の光ファイバを言うものとする。
【００１７】
光ファイバテープ心線１は、光ファイバ心線２の３心以上を平行一列に並べ、共通被覆３により一体化してテープ状としたものであって、共通被覆３には、隣り合う光ファイバ心線２間で所定長さの切込み部分４と非切込み部分５が交互に形成されている形態のものを言う。
【００１８】
光ファイバテープ心線１の共通被覆３に形成された切込み部分４は、テープ心線の上下面を貫通している。そして切込み部分４が形成された部分では、隣り合う光ファイバ心線同士が互いに分離し、隣り合う光ファイバ心線同士を互いに引き離す方向（長手方向と直交する方向）に引っ張ることにより、光ファイバ心線を湾曲させて分けることが可能となる。一方、切込みが形成されていない非切込み部分５では、隣り合う光ファイバ心線同士が互いに共通被覆３により一体とされて、テープ状態を保持する。
【００１９】
切込み部分４と非切込み部分５は、種々の形態（パターン）で形成することができる。図１（Ａ）の例は、隣り合う切込み部分４が全て一致するように形成したもので、非切込み部分５が長手方向と直交する間欠的な位置で全光ファイバ心線が連結されている。図１（Ｂ）の例は、隣り合う切込み部分４の位置が異なるようにし、隣より１つ離れた切込み部分同士の位置が一致するように形成している。また、図１（Ｃ）は、隣り合う切込み部分４の位置が順にずれていくように形成している。
【００２０】
また、切込み部分４の長さと非切込み部分５の長さは、任意に設定することができる。
例えば、光ファイバ心線の単心分離性を重視する場合には、切込み部分４の切込み長さを非切り込み部分５より長くする。また、テープ心線としての一体性を重視する場合には、非切込み部分５の長さを切込み部分４より長くする。また、単心分離性と一体性をバランスさせるのであれば、切込み部分４と非切込み部分５の長さを等しくする、等の形態とすることができる。
【００２１】
本発明では、光ファイバテープ心線１の連結構造を検査するために、切込み部分４を形成するための切断刃が光ファイバテープ心線に差し込まれたときに、切断刃の近傍で光ファイバテープ心線１が開いた状態となる部分をセンサにより検出し、切込み部分４が形成されている位置が適切であるか、および切込み部分４が確実に形成されているかを判断する。
以下にまず切断刃による切込み部分４を形成するための機構の一例を説明する。
【００２２】
図２は、光ファイバテープ心線に切込み部分を形成する機構の設置例を示す図である。光ファイバテープ心線１は、図２の右方向から左方向に向けて走行しているものとし、この光ファイバテープ心線１に対して、光ファイバ心線の本数に応じた複数の切込み機構８ａ〜８ｃが備えられる。例えば光ファイバ心線が４心の場合は、図示するように隣接する３か所の光ファイバ心線のそれぞれに切込み部分を形成するために、３台の切込み機構８ａ〜８ｃが設けられる。切込み機構８ａ〜８ｃは、光ファイバテープ心線１に対して後述する切断刃６により間欠的な切込み部分を形成する本発明の切込み形成部に相当するもので、本発明の光ファイバテープ心線の製造装置の一例を構成する。
【００２３】
切込み機構８ａ〜８ｃは、例えば、光ファイバテープ心線１の走行をガイドするガイドローラ９ａ，９ｂ間で、製造ライン方向（光ファイバテープ心線の長手方向）にずらせて配置され、それぞれの切込み機構により切込み部分４が形成される。切込み機構８ａ〜８ｃで切込み部分４を形成するタイミングを制御することにより、図１で説明したような切込みの形態（パターン）を変えることができる。
【００２４】
図３は、切込み部分４を形成する切断刃６について説明する図である。図２の切込み機構８ａ〜８ｃのそれぞれには切断刃６が備えられ、走行する光ファイバテープ心線１に対して所定のタイミングで切断刃６が差し込まれる。これにより、光ファイバ心線の所定位置に切込み部分４が形成される。
【００２５】
図示するように、切断刃６は共通被覆３の表面から所定位置に差し込まれ、光ファイバ心線２を左右に押し開くようにして共通被覆３を切り開く。切り開かれた共通被覆３は、光ファイバ心線２の外面に付着した状態で維持される。
切断刃６は、光ファイバ心線２に対する切込み部分４を形成するために、光ファイバテープ心線１の進行方向前方の上方から、進行方向後方の下方に向けてスイング動作で回動動作することで切込み開始時の衝撃を緩和し、スムーズな切込みを行うことが可能となる。また、スイング動作ではなく、上下にストローク動作を行うことで切込み部分４を形成するものであってもよい。切込み部分４を形成するために使用する切断刃６は、両側に刃面を有する両刃形状とすることにより、光ファイバ心線２を左右に均等に押し開くようにして、切込み部分４を形成することができる。
【００２６】
本発明による光ファイバテープ心線の検査装置および検査方法は、切込みを形成する切断刃６が光ファイバテープ心線に差し込まれた状態で、切断刃６が差し込まれた位置が適正であることを検出する切断位置検出センサと、切断刃が確実に前記光ファイバテープ心線に差し込まれ、切込み部分４が形成されていることを検出する切断有無検出センサとを使用する。そしてこれらによって切込み部分が適切に形成されていることを検出する。
【００２７】
図４は、本発明に用いる切断位置検出センサの構成及び動作例を説明するための図である。切断位置検出センサ１０ａ，１０ｂは、光ファイバテープ心線１に対して切断刃６が差し込まれて切込み部が形成されるときに、その切断刃６が差し込まれた位置を検出し、
その検出結果に基づいて切断部分を形成する位置が適正であるかが判断される。これらの切断位置検出センサ１０ａ，１０ｂは、図２に示す切込み機構８ａ〜８ｃのそれぞれについて１セットずつ設けられる。そして、各切込み機構８ａ〜８ｃは切込み部分４を形成すべき位置がそれぞれ異なるため、切込み機構８ａ〜８ｃごとにそれぞれについて、切込み部分４の形成位置が適正であるかを判断できるようにしている。
【００２８】
切断位置検出センサ１０ａ，１０ｂとしては、光学センサを用いることができる。光学センサは、例えばレーザ光などを発光する発光素子と、発光素子から発光した光の反射光を受光する受光素子とを備え、受光素子が受光した光に応じた出力値を出力する。出力値は情報処理装置等に入力され、光学センサからの出力値に基づいて切断刃が差し込まれた位置が適切であるか否かを判断する。情報処理装置は、本発明の判断部もしくは判断装置に相当し、例えば所定のプログラムを実行する制御プロセッサを備えた情報処理装置等により実現される。
【００２９】
図４（Ａ）に示すように、２つの切断位置検出センサ１０ａ，１０ｂは、切断刃６が光ファイバテープ心線１に差し込まれる位置で光ファイバテープ心線１の幅方向の両側２か所に設けられる。これにより、光ファイバテープ心線１の幅方向両側の所定位置で、光ファイバテープ心線１の存在の可否を検出する。
図４（Ａ）では、光ファイバテープ心線１に対して、切断刃６が差し込まれていない状態を示している。この状態では、２つの切断位置検出センサ１０ａ，１０ｂは、光ファイバテープ心線１の幅方向外側の空間を検出し、光ファイバテープ心線１の存在を検出しない。この状態では、判断部は、光ファイバテープ心線１に対して切断刃６が差し込まれていないことを判断することができる。
【００３０】
図４（Ｂ）は、４心の光ファイバテープ心線の中央に切断刃６が差し込まれた状態を示す図である。この場合、切断刃６は、並列する４本の光ファイバ心線２のうち、一端側から２本目と３本目の間に差し込まれる。これにより、差し込まれた切断刃６の両側に光ファイバ心線２がそれぞれ２本ずつ分かれて分断される。
この場合、図４（Ｂ）に示すように、切断刃６によって分断された２本の光ファイバ心線２は、切断刃６の両側でそれぞれ光ファイバテープ心線１の幅方向外側に向かって変位する。この状態で２つの切断位置検出センサ１０ａ、１０ｂは、そのいずれもが光ファイバテープ心線１の存在を検知する。判断部は、２つの切断位置検出センサ１０ａ，１０ｂの両方で光ファイバテープ心線１の存在を検出した場合、４本の光ファイバ心線２の中央位置に切断刃６が差し込まれたものと判断することができる。
【００３１】
図４（Ｃ）は、４本の光ファイバ心線２のうち、一端（図示左側）から１本目と２本目の間に切断刃６が差し込まれた状態を示している。この場合、光ファイバテープ心線１に切断刃６が差し込まれることにより、切断刃６によって１本の光ファイバ心線２と３本の光ファイバテープ心線２とに分断される。そして図示右側の３本の光ファイバ心線２は、切断刃６に対して光ファイバテープ心線１の幅方向に大きく膨らんで変位するため、切断位置検出センサ１０ｂによりその存在が検出される。
【００３２】
一方、切断刃６で分断された１本の光ファイバ心線２は、光ファイバテープ心線１の幅方向に大きく変位しないため、切断位置検出センサ１０ａによってその存在が検出されない。判断部では、一方の切断位置検出センサ１０ｂによって光ファイバテープ心線１の存在が検出され、かつ、他方の切断位置検出センサ１０ａによって光ファイバテープ心線１の存在が検出されない場合、切断位置検出センサ１０ａ側から１本目の光ファイバ心線２と２本目の光ファイバ心線２との間に切断刃６が差し込まれたことを判断することができる。それぞれの切断位置検出センサ１０ａ，１０ｂは、切断刃６の切断位置によって異なる光ファイバ心線２の変位状態を適切に区別して検出できるように、その検出位置が設定される。
【００３３】
図４（Ｄ）は、光ファイバテープ心線１の一端（図示左側）から３本目と４本目の光ファイバ心線２の間に切断刃６が差し込まれた状態を示す。この場合、図示左側の３本の光ファイバ心線２は、切断刃６に対して光ファイバテープ心線１の幅方向に大きく膨らんで変位するため、切断位置検出センサ１０ａによりその存在が検出される。
一方、図示右側の切断刃６で分断された１本の光ファイバ心線２は、光ファイバテープ心線１の幅方向に大きく変位しないため、切断位置検出センサ１０ｂによってその存在が検出されない。判断部では、一方の切断位置検出センサ１０ａによって光ファイバテープ心線１の存在が検出され、かつ、他方の切断位置検出センサ１０ｂによって光ファイバテープ心線１の存在が検出されない場合、切断位置検出センサ１０ａ側から３本目の光ファイバ心線２と４本目の光ファイバ心線２との間に切断刃６が差し込まれたことを判断することができる。
【００３４】
上記のようにして、切込み部分４を形成する切断刃６が光ファイバテープ心線に差し込まれた状態で、前記切断刃が差し込まれた位置が適正であることを検出する切断位置検出センサ１０ａ，１０ｂを備えることで、判断部は、それぞれの切断位置検出センサの検出結果に基づいて、光ファイバテープ心線１に差し込まれた切断刃６の位置が適正であることを判断することができる。
【００３５】
図５は、本発明に用いる切断有無検出センサの構成及び動作例を説明するための図で、
図５（Ａ）は、光ファイバテープ心線１に切断刃６が差し込まれた状態を側方から見た図で、図５（Ｂ）は、切断刃６の近傍を上方から見た図である。
切断有無検出センサ１１は、切断刃６が確実に光ファイバテープ心線１に差し込まれ、切込み部分４が形成されていることを検出する。従って、切断有無検出センサ１１は、図２に示すように複数の切込み機構８ａ〜８ｃがある場合、切込み機構８ａ〜８ｃのそれぞれについて１つずつ設けられる。
【００３６】
切断有無検出センサ１２としては、切断位置検出センサ１０ａ，１０ｂと同様に光学センサを用いることができる。切断有無検出センサ１２の出力値は情報処理装置等に入力され、光学センサからの出力値に基づいて切込み部分４が適正に形成されていることが判断される。情報処理装置は、本発明の判断部もしくは判断装置に相当し、例えば所定のプログラムを実行する制御プロセッサを備えた情報処理装置等により実現される。
【００３７】
ここでは切断位置検出センサ１０ａ，１０ｂの検出結果に基づく切断位置の判断と、切断有無検出センサ１２の検出結果に基づく切断有無の判断とを同じ情報処理装置で実行することで、その情報処理装置は、切断位置検出センサ１０ａ，１０ｂと切断有無検出センサ１２の検出結果に基づいて、切断位置が適正であり、かつ切断が確実に実行されている場合に、切込み部分４が適正に形成されていることを判断することができる。
【００３８】
図５に示すように、切断有無検出センサ１１は、光ファイバテープ心線１に対して切断刃６が差し込まれる位置近傍の上方に配置される。走行する光ファイバテープ心線１に対して切断刃６が差し込まれると、その切断刃６の周囲に開口部Ｗが生成される。切断有無検出センサ１１は、この開口部Ｗが生成される位置を検出対象として設定し、開口部Ｗの有無を検出する。
【００３９】
切断刃６が光ファイバテープ心線１に対して確実に差し込まれて貫通し、光ファイバ心線２が分離されることによって光ファイバテープ心線１に開口部Ｗが形成される。しかしながら、切断刃６が光ファイバテープ心線１を貫通することなく、切断不良が発生した場合、切断刃６の下降動作が正しく行われていても光ファイバテープ心線１に開口部Ｗが形成されない。
切断有無検出センサ１１は、開口部Ｗの有無によってその出力値が変化し、情報処理装置では、その出力値に基づいて適切に開口部Ｗが形成されているか否かを判断することができる。
【００４０】
上記のように、本発明に係る実施形態では、切込み部分４を形成する切断刃６が光ファイバテープ心線１に差し込まれた状態で、切断刃６が差し込まれた位置が適正であることを検出する切断位置検出センサ１０ａ，１０ｂと、切断刃６が確実に光ファイバテープ心線１に差し込まれ、切込み部分４が形成されていることを検出する切断有無検出センサ１１が備えられ、判断部を構成する情報処理装置は、切断位置検出センサ１０ａ，１０ｂと切断有無検出センサ１１の検出結果に基づいて、切込み部分４が適正に形成されていることを判断することができる。これにより、光ファイバテープ心線１の連結構造を確実に検査できるようにした検査装置、検査方法、およびその検査装置を備えた光ファイバテープ心線の製造装置を提供することができる。
【符号の説明】
【００４１】
１…光ファイバテープ心線、２…光ファイバ心線、３…共通被覆、４…切込み部分、５…非切込み部分、６…切断刃、８ａ，８ｂ，８ｃ…切込み機構、９ａ，９ｂ…ガイドローラ、１０ａ…切断位置検出センサ、１０ａ，１０ｂ…切断位置検出センサ、１１…切断有無検出センサ、１２…切断有無検出センサ。
【図１】
2015001689.tif 000003
【図２】
2015001689.tif 000004
【図３】
2015001689.tif 000005
【図４】
2015001689.tif 000006
【図５】
2015001689.tif 000007